【事件の表示】
　特願２０１５−１８０７６１「遊技機」拒絶査定不服審判事件〔平成２９年　３月２３日出願公開、特開２０１７−　５５８０１〕について、次のとおり審決する。
【結　論】
　本件審判の請求は、成り立たない。
【理　由】
第１　手続の経緯
　本願は、平成２７年９月１４日に特許出願されたものであって、平成２８年７月１９日付けで拒絶理由通知がなされ、これに対して同年９月１６日に意見書及び手続補正書が提出されたが、同年１０月６日付けで拒絶査定がなされ、これに対して、同年１２月１４日付けで拒絶査定不服審判の請求がなされるとともに手続補正書が提出され、平成２９年２月２日に前置報告がされたものである。
第２　平成２８年１２月１４日付け手続補正についての補正却下の決定
［補正の却下の決定の結論］
　平成２８年１２月１４日付けの手続補正（以下、「本件補正」という。）を却下する。
［理由］
１．本件補正の概要
　本件補正は、特許請求の範囲の請求項１の記載の補正を含むものであり、本件補正前の平成２８年９月１６日付けの手続補正書における請求項１の記載と、本件補正後の特許請求の範囲の請求項１の記載は、それぞれ、次のとおりである（下線部は、補正箇所を示す。）。
（補正前：平成２８年９月１６日付け手続補正）
「【請求項１】
　遊技機であって、
　遊技盤と、
　第１の表示手段を介してそれぞれ配置される複数の第２の表示手段と、
　前記第１の表示手段および前記第２の表示手段のそれぞれの表示内容を制御する表示制御手段と、を備え、
　前記表示制御手段は、前記第１の表示手段の表示内容にかかわらず、前記第１の表示手段の一方の側に配置される前記第２の表示手段の表示内容と、前記第１の表示手段の他方の側に配置される前記第２の表示手段の表示内容と、が互いに連動するように制御する
　ことを特徴とする遊技機。」
（補正後：平成２８年１２月１４日付け手続補正）
「【請求項１】
Ａ　遊技機であって、
　　遊技盤と、
Ｂ　第１の表示手段を介してそれぞれ配置される複数の第２の表示手段と、
Ｃ　前記第１の表示手段および前記第２の表示手段のそれぞれの表示内容を制御する表示制御手段と、を備え、
Ｄ　前記表示制御手段は、前記第１の表示手段の表示内容にかかわらず、前記第１の表示手段の一方の側に配置される前記第２の表示手段の表示内容
が
に向かって移動
　ことを特徴とする遊技機。」
（下線部は補正箇所を示す。Ａ〜Ｄは本願補正発明を分説するために当審で付した。）。
２．補正の適否について
　本件補正は、補正前の請求項１に記載した発明を特定するために必要な事項である「表示制御手段」に関して、補正前の請求項１では、「前記第２の表示手段の表示内容と、前記第１の表示手段の他方の側に配置される前記第２の表示手段の表示内容と、が互いに連動するように制御するように制御する」とされていたものを、補正後の請求項１では、「前記第１の表示手段の一方の側に配置される前記第２の表示手段の表示内容
が
に向かって移動
　そして、本件補正後の請求項１に係る発明においては、「表示制御手段」が制御する「前記第１の表示手段の他方の側に配置される前記第２の表示手段」の「表示内容」については、具体的にどのように制御するのかについて限定されていないから、補正後の請求項１に係る発明の「表示制御手段」は、「前記第１の表示手段の他方の側に配置される前記第２の表示手段」の「表示内容」を、「前記第１の表示手段の一方の側に配置される前記第２の表示手段の表示内容」と連動しない、例えば、静止した表示内容とするように制御するものも含むものであるといえる。
　したがって、本件補正により、上記補正後の請求項１に係る発明の「表示制御手段」は、補正前の請求項１に係る発明の「表示制御手段」が有していた「前記第２の表示手段の表示内容と、前記第１の表示手段の他方の側に配置される前記第２の表示手段の表示内容と、が互いに連動するように制御するように制御する」構成を有しないものも含むことになるという点で、補正前の請求項１に係る発明の「表示制御手段」による制御より技術的範囲が拡張されたものとなるから、本件補正は、補正前の請求項１に記載した発明を特定するために必要な事項を限定するものではなく、特許法第１７条の２第５項第２号に掲げる特許請求の範囲の減縮を目的とするものともいえない。
　そして、本件補正は、請求項の削除、誤記の訂正、明りょうでない記載の釈明のいずれにも該当しないことは明らかである。
　以上のことから、本件補正は、特許法第１７条の２第５項の各号に掲げるいずれの事項を目的とするものにも該当しない。
　よって、本件補正は、特許法第１７条の２第５項の規定に違反するので、同法第１５９条第１項において読み替えて準用する同法第５３条第１項の規定により却下すべきものである。
３．独立特許要件
　本件補正については上記「２．補正の適否」のとおりであるが、仮に、本件補正が限定的減縮を目的とするものとして、本件補正後の請求項１に記載された発明が特許出願の際独立して特許を受けることができるものであるか（特許法第１７条の２第６項において準用する同法第１２６条第７項の規定に適合するか）について、以下に検討する。
（１）本件補正後の請求項１に係る発明
　補正後の請求項１に係る発明（以下、「本願補正発明」という。）は、上記「１．本件補正の概要」において示したとおりのものである。
（２）刊行物１に記載された発明
　本願の出願日前に頒布された刊行物である、特開２０１５−２９６０６号公報（以下、「刊行物１」という。）には、図面とともに次の事項が記載されている（下線は当審で付与した。以下同様。）。
（１−ア）「【０００８】
【図１】本発明の第１の実施の形態によるパチンコ機１００を正面側（遊技者側）から見た外観斜視図である。
【図２】本発明の第１の実施の形態によるパチンコ機１００を背面側から見た外観図である。
【図３】本発明の第１の実施の形態によるパチンコ機１００の遊技盤２００を正面から見た略示正面図である。
【図４】本発明の第１の実施の形態によるパチンコ機１００の制御部の回路ブロック図である。
（１−イ）「【００３８】
　次に、
図４を用いて、パチンコ機１００の制御部の回路構成について詳細に説明する。
・・・
【００４６】
　次に、
パチンコ機１００の第１副制御部４００
【００４７】
　また、基本回路４０２には、スピーカ１２０（およびアンプ）の制御を行うための音源ＩＣ４１６と、各種ランプ４１８（例えば、チャンスボタンランプ１３８）の制御を行うための駆動回路４２０と、遮蔽装置の駆動制御を行うための駆動回路４３２と、遮蔽装置の現在位置を検出する遮蔽装置センサ４３０と、チャンスボタン１３６の押下を検出するチャンスボタン検出センサ４２６と、遮蔽装置センサ４３０やチャンスボタンのチャンボタン検出センサ４２６からの検出信号を基本回路４０２に出力するセンサ回路４２８と、制御プログラムや各種演出データを記憶するためのＲＯＭ４０６と、ＣＰＵ４０４からの信号に基づいてＲＯＭ４０６に記憶された
画像データ等を読み出して
表示画像を生成して第一装飾図柄表示装置２０８および第二装飾図柄表示装置２０９に画像を表示するＶＤＰ４３４
を接続している。
（１−ウ）「【０４４３】
［第２の実施の形態］
　次に、本発明の第２の実施の形態によるパチンコ機１００について図５０〜図６９を用いて説明する。図５０は本発明の第２の実施の形態による
パチンコ機１００の遊技盤２００
（１−エ）「【０５４２】
（実施例５）
　次に、本発明の第２の実施の形態によるパチンコ機１００による演出例の実施例５について図６５〜図６８を用いて説明する。図６５は、本発明の第２の実施の形態によるパチンコ機１００の演出可動体２２４を用いた具体的演出の実施例５（その１）を示している。図６５は、実施例５における
パチンコ機１００の第一装飾図柄表示装置２０８と第二装飾図柄表示装置２０９と第三装飾図柄表示装置２１１
【０５４３】
　
第一装飾図柄表示装置２０８の左方には、第二装飾図柄表示装置２０９が配置されている。
【０５４４】
　
第一装飾図柄表示装置２０８の右方には、第三装飾図柄表示装置２１１が配置されている。
（１−オ）「【０５５２】
　図６６は、本発明の
第２の実施の形態によるパチンコ機１００
図６６（ａ）〜（ｈ）は、
この順に時系列に並べられている。
・・・
【０５５６】
　
図６６（ｄ）は、第二装飾図柄表示装置２０９に殿様が表示され、第三装飾図柄表示装置２１１
殿様と剣豪とが対峙している状態を示している。
【０５５７】
　その後、
図６６（ｆ）に示すように、殿様が剣豪に向かっていく画像が第二装飾図柄表示装置２０９に表示され
（１−カ）「【０５６２】
　図６７（ｅ）は、第二装飾図柄表示装置２０９および第三装飾図柄表示装置２１１が初期位置に移動した状態を示している。これにより、第一装飾図柄表示装置２０８の全体が視認可能になる。第一装飾図柄表示装置２０８には、剣豪に勝った殿様と、殿様に負けた剣豪とが表示される。また、第一装飾図柄表示装置２０８の全体が視認可能になって、
図柄表示領域２０８ａ〜２０８ｃ
（１−キ）「【０５７２】
　
本実施例によるパチンコ機１００は、
第一の表示手段として第一装飾図柄表示装置２０８と、表示を実行可能な第二の表示手段として第二装飾図柄表示装置２０９と、表示を実行可能な第三の表示手段として第三装飾図柄表示装置を備えている。
（１−ク）「【０５８４】
　上記構成を備えた
パチンコ機１００
・・・
【０５９３】
　第一の表示手段を少なくとも動作可能な動作手段（モータ、ソレノイド）を備えてもよい。
　動作手段の動作を制御可能な動作制御手段（第一副制御部、第二副制御部）を備えてもよい。
　
表示手段の表示を制御可能な表示制御手段
を備えてもよい。
（１−ケ）図４より、符号「４００」で示された部材が、符号「４３４」で示された部材を有することがみてとれる。
　また、（１−イ）の段落【００４６】には、「第１副制御部４００」と記載され、段落【００４７】には、「基本回路４０２には、・・・画像データ等を読み出して・・・ＶＤＰ４３４・・・を接続している。」と記載されている。また、上記（１−ア）の段落【０００８】には、「【図４】本発明の第１の実施の形態によるパチンコ機１００の制御部の回路ブロック図である。」と記載されている。
　よって、図４により、
第１の実施の形態によるパチンコ機１００の第１副制御部４００がＶＤＰ４３４を含む
（１−コ）図６６（ｅ）及び図６６（ｆ）には、符号２０８で示された部材における上部中央の、符号「２０８ａ」、「２０８ｂ」及び「２０８ｃ」の位置に示された図柄があることが、みてとれる。
　また、上記（１−エ）の段落【０５４２】には、「第一装飾図柄表示装置２０８」と記載され、上記（１−カ）の段落【０５６２】には「図柄表示領域２０８ａ〜２０８ｃ」と記載されている。
　したがって、
図６６（ｅ）及び図６６（ｆ）は、第一装飾図柄表示装置２０８の上部中央に装飾図柄が表示される
　そして、上記（１−オ）の段落【０５５６】には、「図６６（ｄ）は、第二装飾図柄表示装置２０９に殿様が表示され、・・・殿様と剣豪とが対峙している状態を示している。」と記載されており、図６６（ｄ）〜（ｅ）には、符号２０９で示された部材に描かれたキャラクタが図示されており、図６６（ｄ）に図示されたキャラクタの位置及び姿勢は、図６６（ｅ）に図示されたキャラクタ及びその位置と同じであるから、図６６（ｄ）とキャラクタの位置が同じ位置に図示された
図６６（ｅ）には、
剣豪と対峙しているキャラクタ（殿様）が図示されている
　また、上記（１−オ）の段落【０５５７】には、「図６６（ｆ）に示すように、殿様が剣豪に向かっていく画像が第二装飾図柄表示装置２０９に表示され」と記載され、図６６（ｆ）には、符号２０９で示された部材に描かれた、キャラクタが図示されている。
　したがって、図６６（ｅ）には、第二装飾図柄表示装置２０９において剣豪と対峙している殿様の画像が表示されていることが図示されており、
図６６（ｆ）には、剣豪に向かっていく殿様の画像が表示されていることが図示されている
　そして、
第二装飾図柄表示装置２０９により表示されている殿様の画像は、図６６（ｅ）に図示された剣豪と対峙している殿様の画像よりも、図６６（ｆ）に図示された、剣豪に向かっていく殿様の画像の方が、上半身が前傾となることにより、第三装飾図柄表示装置２１１に対して近い位置にある
　したがって、以上の（１−エ）、（１−オ）の記載事項、図６６（ｅ）及び図６６（ｆ）の図示内容より、
図６６（ｅ）と図６６（ｆ）とでは、第一装飾図柄表示装置２０８に表示される装飾図柄の位置は共に上部中央で同一であり、図６６（ｅ）に図示された剣豪と対峙している殿様の画像よりも、図６６（ｆ）に図示された、剣豪に向かっていく殿様の画像の方が、上半身が前傾となることにより、第三装飾図柄表示装置２１１に近い位置にある
　そして、上記（１−エ）の上記段落【０５５２】には、「
図６６（ａ）〜（ｈ）は、
この順に時系列に並べられている。
図６６（ｆ）の図示内容は図６６（ｆ）の図示内容より後の状態を表すもの
　よって、図６６（ｅ）及び図６６（ｆ）には、
第一装飾図柄表示装置２０８に装飾図柄が上部中央に表示され、第二装飾図柄表示装置２０９には剣豪と対峙している殿様の画像が表示され、その後、第一装飾図柄表示装置２０８に装飾図柄が上部中央の同一位置に表示され、第二装飾図柄表示装置２０９には剣豪に向かっていく殿様の画像が、第三装飾図柄表示装置２１１に対して、上半身が前傾となることにより、近づいた位置で表示される
　上記（１−ア）〜（１−ク）の記載事項、上記（１−ケ）〜（１−コ）で認定された図示内容により、以下の事項が導かれる。
（１−サ）上記（１−ウ）の段落【０４４３】には、「パチンコ機１００の遊技盤２００」と記載されているから、刊行物１には、
パチンコ機１００が遊技盤２００を備える
（１−シ）上記（１−エ）の段落【０５４２】には、「パチンコ機１００の第一装飾図柄表示装置２０８と第二装飾図柄表示装置２０９と第三装飾図柄表示装置２１１」と記載されており、上記（１−エ）の段落【０５４３】には、「第一装飾図柄表示装置２０８の左方には、第二装飾図柄表示装置２０９が配置されている。」と記載され、上記（１−エ）の段落【０５４４】には、「第一装飾図柄表示装置２０８の右方には、第三装飾図柄表示装置２１１が配置されている。」と記載されている。
　よって、刊行物１には、
パチンコ機１００は、第一装飾図柄表示装置２０８の左方及び右方にそれぞれ配置される、第二装飾図柄表示装置２０９及び第三装飾図柄表示装置２１１を備える
（１−ス）上記（１−オ）の段落【０５５２】には、「
第２の実施の形態によるパチンコ機１００
表示手段として、第一装飾図柄表示装置２０８、第二装飾図柄表示装置２０９、及び第三装飾図柄表示装置２１１を備えているのは、第２の実施の形態によるパチンコ機１００である
　したがって、
第２の実施の形態によるパチンコ機１００は、表示手段による表示を制御可能な表示制御手段（第一副制御部）を備えている
　よって、刊行物１には、
パチンコ機１００は、第一装飾図柄表示装置２０８、第二装飾図柄表示装置２０９、及び第三装飾図柄表示装置２１１を表示手段として備え、また、表示手段による表示を制御する表示制御手段（第一副制御部）を備える
（１−セ）上記（１−ア）の段落【０００８】には、「【図４】本発明の第１の実施の形態によるパチンコ機１００の制御部の回路ブロック図である。」と記載され、上記（１−イ）の段落【００３８】には、「図４を用いて、パチンコ機１００の制御部の回路構成について詳細に説明する。」と記載され、上記（１−イ）の段落【００４７】には「画像データ等を読み出して・・・表示画像を生成して第一装飾図柄表示装置２０８および第二装飾図柄表示装置２０９に画像を表示するＶＤＰ４３４」と記載されているから、
第１の実施の形態によるパチンコ機１００におけるＶＤＰ４３４は、第一装飾図柄表示装置２０８及び第二装飾図柄表示装置２０９で表示される表示画像を生成する、表示制御を行うものである
　そして、上記（１−イ）の段落【００４６】には、「パチンコ機１００の第１副制御部４００」と記載され、また、上記（１−ケ）により、
第１の実施の形態によるパチンコ機１００のＶＤＰ４３４は第１副制御部４００に含まれる
ＶＤＰ４３４により行われる制御は、パチンコ機１００の第１副制御部４００により行われる制御でもある
　したがって、刊行物１には、
第１の実施の形態によるパチンコ機１００の第１副制御部４００は、第一装飾図柄表示装置２０８及び第二装飾図柄表示装置２０９で表示される表示画像を生成する、表示制御を行う
　また、上記（１−ス）により、
第２の実施の形態によるパチンコ機１００の有する第三装飾図柄表示装置２１１は、第一装飾図柄表示装置２０８、第二装飾図柄表示装置２０９と同様に表示制御手段（第一副制御部）より制御されるものである
　したがって、
第１の実施の形態によるパチンコ機１００の備える第１副制御部４００は、第三装飾図柄表示装置２１１を有する第２の実施の形態によるパチンコ機１００においても
適用されるものであり、第一装飾図柄表示装置２０８及び第二装飾図柄表示装置２０９に加え、第三装飾図柄表示装置２１１で表示される表示画像を生成する表示制御を行うものである
　よって、刊行物１には、
パチンコ機１００の第１副制御部４００は、第一装飾図柄表示装置２０８、第二装飾図柄表示装置２０９、及び第三装飾図柄表示装置２１１で表示される表示画像を生成する表示制御を行う
（１−ソ）上記（１−コ）により、
第一装飾図柄表示装置２０８に装飾図柄が上部中央に表示され、第二装飾図柄表示装置２０９には剣豪と対峙している殿様の画像が表示され、その後、第一装飾図柄表示装置２０８に装飾図柄が上部中央の同一位置に表示され、第二装飾図柄表示装置２０９には剣豪に向かっていく殿様の画像が、第三装飾図柄表示装置２１１に対して上半身が前傾となることにより近づいた位置で表示される
　そして、上記（１−シ）により、
第二装飾図柄表示装置２０９は第一装飾図柄表示装置２０８の左方に配置され
第三装飾図柄表示装置２１１は第一装飾図柄表示装置２０８の右方に配置される
第一装飾図柄表示装置２０８、第二装飾図柄表示装置２０９、及び第三装飾図柄表示装置２１１の表示は、パチンコ機１００の第１副制御部４００より制御される
　よって、刊行物１には、
パチンコ機１００の第１副制御部４００は、第一装飾図柄表示装置２０８において中央上部に装飾図柄が表示されている間に、第一装飾図柄表示装置２０８の左方に配置される第二装飾図柄表示装置２０９に表示される殿様の画像は、剣豪と対峙している殿様の画像として表示された後に、第一装飾図柄表示装置２０８の右方に配置される第三装飾図柄表示装置２１１に対して上半身が前傾となることにより近づいた位置で、剣豪に向かっていく殿様の画像として表示されるように制御する
　上記（１−ア）〜（１−ク）の記載事項、上記（１−ケ）〜（１−コ）で認定された図示内容、及び（１−サ）〜（１−ソ）の認定事項により、刊行物１には、次の発明が記載されていると認められる（以下、「刊行物１発明」という。）。
「ａ　パチンコ機１００であって、
　遊技盤２００と（上記（１−サ））、
ｂ　第一装飾図柄表示装置２０８の左方、及び右方にそれぞれ配置される第二装飾図柄表示装置２０９、及び第三装飾図柄表示装置２１１と（上記（１−シ））、
ｃ　第一装飾図柄表示装置２０８、第二装飾図柄表示装置２０９、及び第三装飾図柄表示装置２１１で表示される表示画像を生成する表示制御を行う第１副制御部４００と、を備え（上記（１−セ））、
ｄ　第１副制御部４００は、第一装飾図柄表示装置２０８において中央上部に装飾図柄が表示されている間に、第一装飾図柄表示装置２０８の左方に配置される第二装飾図柄表示装置２０９に表示される殿様の画像は、剣豪と対峙している殿様の画像として表示された後に、第一装飾図柄表示装置２０８の右方に配置される第三装飾図柄表示装置２１１に対して上半身が前傾となることにより近づいた位置で、剣豪に向かっていく殿様の画像として表示されるように制御する、パチンコ機１００（上記（１−ソ））。」
（３）対比・判断
　本願補正発明と刊行物１発明とを対比する。なお、刊行物１発明の構成ａ〜ｄに対応して見出し（ａ）〜（ｄ）を付した。
（ａ）刊行物１発明の「パチンコ機１００」及び「遊技盤２００」は、それぞれ本願補正発明の「遊技機」及び「遊技盤」に相当するから、刊行物１発明の構成ａは、本願補正発明の構成Ａに相当する。
（ｂ）刊行物１発明の「第一装飾図柄表示装置２０８」は、本願補正発明の「第１の表示手段」に相当する。したがって、刊行物１発明の「第一装飾図柄表示装置２０８の左方、及び右方にそれぞれ配置される」ことは、本願補正発明の「第１の表示手段を介してそれぞれ配置される」ことに相当する。
　また、刊行物１発明の「第二装飾図柄表示装置２０９」及び「第三装飾図柄表示装置２１１」は、本願補正発明の「複数の第２の表示手段」に相当する。
　よって、刊行物１発明の「第一装飾図柄表示装置２０８の左方、及び右方にそれぞれ配置される第二装飾図柄表示装置２０９、及び第三装飾図柄表示装置２１１」は、本願補正発明の「第１の表示手段を介してそれぞれ配置される複数の第２の表示手段」に相当する。
（ｃ）上記（ｂ）で検討したように、刊行物１発明の「第一装飾図柄表示装置２０８」は本願補正発明の「第１の表示手段」に相当し、刊行物１発明の「第二装飾図柄表示装置２０９」及び「第三装飾図柄表示装置２１１」は、本願補正発明の「複数の第２の表示手段」に相当する。
　また、刊行物１発明の「表示される表示画像を生成する表示制御を行う」ことは、本願補正発明の「表示内容を制御する」ことに相当する。
　よって、刊行物１発明の「第一装飾図柄表示装置２０８、第二装飾図柄表示装置２０９、及び第三装飾図柄表示装置２１１で表示される表示画像を生成する表示制御を行う第１副制御部４００」は、本願補正発明の「前記第１の表示手段および前記第２の表示手段のそれぞれの表示内容を制御する表示制御手段」に相当する。
（ｄ）上記（ｃ）で検討したように、刊行物１発明の「第１副制御部４００」は、本願補正発明の「表示制御手段」に相当する。
　また、上記（ｂ）で検討したように、刊行物１発明の「第一装飾図柄表示装置２０８」は、本願補正発明の「第１の表示手段」に相当するから、刊行物１発明の「第一装飾図柄表示装置２０８において」「中央上部に」「表示されている」「装飾図柄」は、本願補正発明の「前記第１の表示手段の表示内容」に相当する。
　また、刊行物１発明の「殿様の画像」は、「剣豪と対峙している殿様の画像として表示された後に、第一装飾図柄表示装置２０８の右方に配置される第三装飾図柄表示装置２１１に対して上半身が前傾となることにより近づいた位置で、剣豪に向かっていく殿様の画像として表示される」ものであるから、「剣豪と対峙している殿様の画像」が「第三装飾図柄表示装置２１１に」「近づいた位置」に向かって移動するように表示されるものであるといえる。
　したがって、刊行物１発明の「殿様の画像」は、本願補正発明の「向かって移動する」「表示内容」に相当する。
　そうすると、刊行物１発明の「第一装飾図柄表示装置２０８の左方に配置される第二装飾図柄表示装置２０９」は、「殿様の画像」（本願補正発明の「向かって移動する」「表示内容」に相当）を表示するものである以上、本願補正発明において「表示内容」を表示する「前記第１の表示手段の一方の側に配置される前記第２の表示手段」に相当するといえる。
　そして、刊行物１発明の「第一装飾図柄表示装置２０８の右方に配置される第三装飾図柄表示装置２１１」は、「殿様の画像」が「上半身が前傾となることにより近づいた位置」となるもの、すなわち、「殿様の画像」が「向かって移動する」ものであるから、本願補正発明の「表示内容」が「向かって移動する」「前記第１の表示手段の他方の側に配置される前記第２の表示手段」に相当する。
　したがって、刊行物１発明の「第一装飾図柄表示装置２０８の左方に配置される第二装飾図柄表示装置２０９に表示される殿様の画像は、剣豪と対峙している殿様の画像として表示された後に、第一装飾図柄表示装置２０８の右方に配置される第三装飾図柄表示装置２１１に対して上半身が前傾となることにより近づいた位置で、剣豪に向かっていく殿様の画像として表示される」ことは、刊行物１発明の「前記第１の表示手段の一方の側に配置される前記第２の表示手段の表示内容が、前記第１の表示手段の他方の側に配置される前記第２の表示手段に向かって移動する」ことに相当する。
　そして、刊行物１発明の「剣豪と対峙している殿様の画像として表示された後に、第一装飾図柄表示装置２０８の右方に配置される第三装飾図柄表示装置２１１に対して上半身が前傾となることにより近づいた位置で、剣豪に向かっていく殿様の画像として表示される」「殿様の画像」は、刊行物１発明の「第一装飾図柄表示装置２０８において」「中央上部に」「表示されている」「装飾図柄」にかかわらない表示内容であるということができる。
　よって、刊行物１発明の「第１副制御部４００は、第一装飾図柄表示装置２０８において中央上部に装飾図柄が表示されている間に、第一装飾図柄表示装置２０８の左方に配置される第二装飾図柄表示装置２０９に表示される殿様の画像は、剣豪と対峙している殿様の画像として表示された後に、第一装飾図柄表示装置２０８の右方に配置される第三装飾図柄表示装置２１１に対してより近づいた位置で、剣豪に向かっていく殿様の画像として表示されるように制御する」ことは、本願補正発明の「前記表示制御手段は、前記第１の表示手段の表示内容にかかわらず、前記第１の表示手段の一方の側に配置される前記第２の表示手段の表示内容が、前記第１の表示手段の他方の側に配置される前記第２の表示手段に向かって移動するように制御する」ことに相当し、刊行物１発明の構成ｄは、本願補正発明の構成Ｄに相当する。
　したがって、上記（ａ）〜（ｄ）の検討事項により、本願補正発明と、刊行物１発明とは、
「遊技機であって、
　遊技盤と、
　第１の表示手段を介してそれぞれ配置される複数の第２の表示手段と、
　前記第１の表示手段および前記第２の表示手段のそれぞれの表示内容を制御する表示制御手段と、を備え、
　前記表示制御手段は、前記第１の表示手段の表示内容にかかわらず、前記第１の表示手段の一方の側に配置される前記第２の表示手段の表示内容が、前記第１の表示手段の他方の側に配置される前記第２の表示手段に向かって移動するように制御する
　遊技機。」
で一致し、構成上の差異はない。
　よって、本願補正発明は刊行物１発明と同一であり、刊行物１に記載された発明であるので、特許法第２９条第１項第３号に該当し、特許出願の際独立して特許を受けることができない。
　また、仮に、本願補正発明が刊行物１発明と同一でないとしても、本願補正発明は、刊行物１発明に基づいて、当業者が容易に発明をすることができたものであるので、特許法第２９条第２項の規定に基づいて、特許出願の際独立して特許を受けることができない。
　
（４）まとめ
　よって、仮に、本件補正が限定的減縮を目的とするものとしても、本件補正は、特許法第１７条の２第６項において準用する同法第１２６条第７項の規定に違反するので、同法第１５９条第１項において読み替えて準用する同法第５３条第１項の規定により却下すべきものである。
４．むすび
　よって、本件補正は、特許法第１７条の２第５項の規定に違反するので、同法第１５９条第１項において読み替えて準用する同法第５３条第１項の規定により却下すべきものであり、また、仮に、本件補正が限定的減縮を目的とするものとしても、特許法第１７条の２第６項において準用する同法第１２６条第７項の規定に違反するので、同法第１５９条第１項において読み替えて準用する同法第５３条第１項の規定により却下すべきものである。
第３　本願発明について
１．本願発明
　本件補正は上記のとおり却下されたので、本願の請求項１に係る発明（以下「本願発明」という。）は、平成２８年９月１６日付け手続補正書により補正された特許請求の範囲に記載された事項により特定される、以下のとおりのものである。
「　【請求項１】
Ａ　遊技機であって、
　遊技盤と、
Ｂ　第１の表示手段を介してそれぞれ配置される複数の第２の表示手段と、
Ｃ　前記第１の表示手段および前記第２の表示手段のそれぞれの表示内容を制御する表示制御手段と、を備え、
Ｄ’前記表示制御手段は、前記第１の表示手段の表示内容にかかわらず、前記第１の表示手段の一方の側に配置される前記第２の表示手段の表示内容と、前記第１の表示手段の他方の側に配置される前記第２の表示手段の表示内容と、が互いに連動するように制御する
　ことを特徴とする遊技機。」
（Ａ〜Ｄ’は本願発明を分説するために当審で付した。）
２．刊行物に記載された事項
　原査定の拒絶の理由（平成２８年７月１９日付け拒絶理由通知）に引用文献１として引用された特開２０１４−２３９７４４号公報（以下「刊行物２」という。）には、図面とともに以下の事項が記載されている。
（２−ア）「【００４２】
　以下、本発明の実施形態について、図面を参照しながら説明する。
　
図１は、パチンコ遊技機（以下、「パチンコ機」と略称する。）１の正面図である。
（２−イ）「【００４９】
　また、
パチンコ機１は、
遊技盤ユニット８を備えている。
遊技盤ユニット８の前面には
遊技盤
が形成されており
（２−ウ）「【００７４】
　遊技盤ユニット８には、その中央位置から右側部分にかけて上記の演出ユニット４０が設置されている。演出ユニット４０は、その上縁部４０ａが遊技球の流下方向を変化させる案内部材として機能する他、その内側に各種の装飾部品４０ｂ，４０ｃ等を備えている。装飾部品４０ｂ，４０ｃはその立体的な造形により遊技盤ユニット８の装飾性を高めるとともに、例えば内蔵された発光器（ＬＥＤ等）により透過光を発することで、演出的な動作をすることができる。また、演出ユニット４０の内側にはメイン液晶表示器４２（画像表示器、メイン表示器）が設置されており、このメイン液晶表示器４２には特別図柄に対応させた演出図柄をはじめ、各種の演出画像や変動表示演出に関する画像が表示される。さらに、
メイン液晶表示器４２の上方には第１サブ液晶表示器２１０が配置されており、メイン液晶表示器４２の
下方には第２サブ液晶表示器２２０が配置されており、メイン液晶表示器４２の
下方には第３サブ液晶表示器２３０が配置されている。
（２−エ）「【００９７】
　そして、図６に示すように、第１昇降用モータ２１１、第２昇降用モータ２２１及び第３昇降用モータ２３１が駆動し、第１ピニオンギヤ２１３、第２ピニオンギヤ２２３及び第３ピニオンギヤ２３３が手前側から見て反時計回りに回転すると、第１ピニオンギヤ２１３、第２ピニオンギヤ２２３及び第３ピニオンギヤ２３３の回転力が、それぞれ第１ラック２１５、第２ラック２２５及び第３ラック２３５に伝達され、第１昇降板２１４は下降し、第２昇降板２２４及び第３昇降板２３４は斜めに上昇する。これにより、
第１サブ液晶表示器２１０、第２サブ液晶表示器２２０及び第３サブ液晶表示器２３０がメイン液晶表示器４２の前方に出没する。
（２−オ）「【０１１４】
　本実施形態によれば、
一番奥がメイン液晶表示器４２であり、その手前が第２サブ液晶表示器２２０及び第３サブ液晶表示器２３０であり、一番手前が第１サブ液晶表示器２１０である。
（２−カ）「【０１３７】
　上記のメイン液晶表示器４２、
第１サブ液晶表示器２１０、第２サブ液晶表示器２２０及び第３サブ液晶表示器２３０は遊技盤ユニット８の裏側に設置されており、
遊技盤ユニット８の裏側には演出表示制御装置１４４が設置されており、メイン液晶表示器４２、第１サブ液晶表示器２１０、第２サブ液晶表示器２２０及び第３サブ液晶表示器２３０による表示動作は、演出表示制御装置１４４により制御されている。演出表示制御装置１４４には、
表示制御ＣＰＵ１４６とともに、表示プロセッサであるＶＤＰ１５２を実装した回路基板
が装備されている。
・・・
【０１３９】
　
表示制御ＣＰＵ１４６は、
制御信号を出力する。これを受け取ったＶＤＰ１５２は、制御信号に基づいて
必要な画像データを読み出して
展開し、
画像データに基づき
第１サブ液晶表示器２１０、第２サブ液晶表示器２２０及び第３サブ液晶表示器２３０の各画素
を
駆動する。
（２−キ）「【０５６２】
〔サブ液晶表示器での変動表示演出〕
　そして、
ここからはサブ液晶表示器での変動表示演出が開始される。
【０５６３】
〔左演出図柄停止〕
　
図６４中（Ｊ）：第１サブ液晶表示器２１０、第２サブ液晶表示器２２０及び第３サブ液晶表示器２３０のそれぞれの表示画面の左側位置に数字の「５」を表す左演出図柄が停止する。
【０５６４】
〔右演出図柄停止〕
　
図６４中（Ｋ）：第１サブ液晶表示器２１０、第２サブ液晶表示器２２０及び第３サブ液晶表示器２３０のそれぞれの表示画面の右側位置に数字の「４」を表す右演出図柄が停止する。
【０５６５】
〔右演出図柄滑り演出〕
　
図６４中（Ｌ）：第１サブ液晶表示器２１０、第２サブ液晶表示器２２０及び第３サブ液晶表示器２３０のそれぞれの表示画面で一旦停止した右演出図柄が滑る演出が実行され、右演出図柄が再び変動を開始する。
【０５６６】
〔右演出図柄停止〕
　
図６５中（Ｍ）：滑り演出を経て、第１サブ液晶表示器２１０、第２サブ液晶表示器２２０及び第３サブ液晶表示器２３０のそれぞれの表示画面の右側位置に数字の「６」を表す右演出図柄が停止する。
【０５６７】
〔再変動専用演出図柄登場〕
　
図６５中（Ｎ）：第１サブ液晶表示器２１０、第２サブ液晶表示器２２０及び第３サブ液晶表示器２３０のそれぞれの表示画面にて左演出図柄及び右演出図柄が停止した状態で、画面の上部から再変動専用演出図柄がゆっくり落下してくる演出が実行される。
【０５６８】
〔再変動専用演出図柄停止〕
　
図６５中（Ｏ）：第１サブ液晶表示器２１０、第２サブ液晶表示器２２０及び第３サブ液晶表示器２３０のそれぞれの表示画面にて、表示画面の上部から
落下してきた再変動専用演出図柄が、
停止される
【０５６９】
〔仮停止（２回目）〕
　
図６６中（Ｐ）：第１サブ液晶表示器２１０、第２サブ液晶表示器２２０及び第３サブ液晶表示器２３０のそれぞれの表示画面にて、
再変動専用演出図柄の画像が消滅し、画面下部には「ＮＥＸＴ」の文字情報が表示される。
演出図柄は
仮停止されている。演出図柄の配列は、
チャンス目（「５」−「６」−「６」）となっている。
・・・
【０５７５】
〔リーチ発生後予告演出〕
　
図６７中（Ｔ）：リーチ状態が発生して暫くすると、
リーチ発生後予告演出
が行われる。
【０５７６】
〔サブ液晶表示器の収納〕
　
リーチ状態が発生してからリーチ発生後予告演出が実行される
　そして、これ以降は上述したリーチ演出が実行されて大当りかはずれになるという演出が実行される。」
（２−ク）図６４には、
図６４（Ｊ）、図６４（Ｋ）及び図６４（Ｌ）の順に進行する
　そして、上記（２−エ）の段落【００９７】には、「第１サブ液晶表示器２１０、第２サブ液晶表示器２２０及び第３サブ液晶表示器２３０がメイン液晶表示器４２の前方に出没する。」と記載されているから、図６４、図６５、図６６において符号「４２」、「２１０」、「２２０」及び「２３０」で示された部材は、それぞれ、メイン液晶表示器４２、第１サブ液晶表示器２１０、第２サブ液晶表示器２２０及び第３サブ液晶表示器２３０であるといえる。
　したがって、
図６４（Ｊ）、図６４（Ｋ）及び図６４（Ｌ）には、メイン液晶表示器４２の前方上側に配置された第１サブ液晶表示器２１０と、メイン表示器４２の前方下側に配置された第２サブ液晶表示器２２０及び第３サブ液晶表示器２３０とが図示されている
　また、上記（２−キ）の段落【０５６２】には、「ここからはサブ液晶表示器での変動表示演出が開始される。」と記載され、段落【０５６３】には、「図６４中（Ｊ）：第１サブ液晶表示器２１０、第２サブ液晶表示器２２０及び第３サブ液晶表示器２３０のそれぞれの表示画面の左側位置に数字の「５」を表す左演出図柄が停止する。」と記載され、段落【０５６４】には、「図６４中（Ｋ）：第１サブ液晶表示器２１０、第２サブ液晶表示器２２０及び第３サブ液晶表示器２３０のそれぞれの表示画面の右側位置に数字の「４」を表す右演出図柄が停止する。」と記載され、段落【０５６５】には、「図６４中（Ｌ）：第１サブ液晶表示器２１０、第２サブ液晶表示器２２０及び第３サブ液晶表示器２３０のそれぞれの表示画面で一旦停止した右演出図柄が滑る演出が実行され、右演出図柄が再び変動を開始する。」と記載されている。　
　よって、図６４には、
メイン液晶表示器４２の前方上側に配置された第１サブ液晶表示器２１０、メイン表示器４２の前方下側に配置された第２サブ液晶表示器２２０及び第３サブ液晶表示器２３０において、各サブ液晶表示器での変動表示演出が開始されてから、左側位置に数字の「５」を表す左演出図柄が停止し、次に、右側位置に数字の「４」を表す右演出図柄が停止し、その後、一旦停止した右演出図柄が滑る演出が実行され、右演出図柄が再び変動を開始する表示がなされる
（２−ケ）図６５には、
図６５（Ｍ）、図６５（Ｎ）及び図６５（Ｏ）の順に進行する
　また、上記（２−エ）の段落【００９７】には、「第１サブ液晶表示器２１０、第２サブ液晶表示器２２０及び第３サブ液晶表示器２３０がメイン液晶表示器４２の前方に出没する。」と記載されているから、図６５、図６６において符号「４２」、「２１０」、「２２０」及び「２３０」で示された部材は、それぞれ、メイン液晶表示器４２、第１サブ液晶表示器２１０、第２サブ液晶表示器２２０、第３サブ液晶表示器２３０であるといえる。
　また、上記（２−キ）の段落【０５６６】には、「図６５中（Ｍ）：滑り演出を経て、第１サブ液晶表示器２１０、第２サブ液晶表示器２２０及び第３サブ液晶表示器２３０のそれぞれの表示画面の右側位置に数字の「６」を表す右演出図柄が停止する。」と記載され、段落【０５６７】には、「図６５中（Ｎ）：第１サブ液晶表示器２１０、第２サブ液晶表示器２２０及び第３サブ液晶表示器２３０のそれぞれの表示画面にて左演出図柄及び右演出図柄が停止した状態で、画面の上部から再変動専用演出図柄がゆっくり落下してくる演出が実行される。」と記載され、段落【０５６８】には、「図６５中（Ｏ）：第１サブ液晶表示器２１０、第２サブ液晶表示器２２０及び第３サブ液晶表示器２３０のそれぞれの表示画面にて、表示画面の上部から・・・落下してきた再変動専用演出図柄が、・・・停止される」と記載されている。
　また、図６５（Ｐ）及び図６５（Ｏ）からは、
第１サブ液晶表示器２１０、第２サブ液晶表示器２２０及び第３サブ液晶表示器２３０により、「Ｒｅｐｌａｙ」の文字からなる図柄が上部から落下してきて、停止される表示が行われる
　そして、上記段落【０５６６】に記載された「
滑り演出
は
右演出図柄が滑る演出
である
　よって、図６５には、
第１サブ液晶表示器２１０、第２サブ液晶表示器２２０及び第３サブ液晶表示器２３０において、右演出図柄が滑る滑り演出を経て、右側位置に数字の「６」を表す右演出図柄が停止し、次に、左演出図柄及び右演出図柄が停止した状態で、上部から落下してきた「Ｒｅｐｌａｙ」の文字からなる再変動専用演出図柄が、停止する表示がなされる
（２−コ）図６５（Ｏ）の下部には、
図６５（Ｏ）、図６６（Ｐ）の順に進行する
　また、上記（２−キ）の段落【０５６８】には、「図６５中（Ｏ）：第１サブ液晶表示器２１０、第２サブ液晶表示器２２０及び第３サブ液晶表示器２３０のそれぞれの表示画面にて、・・・再変動専用演出図柄が、・・・停止される」と記載され、段落【０５６９】には、「図６６中（Ｐ）：第１サブ液晶表示器２１０、第２サブ液晶表示器２２０及び第３サブ液晶表示器２３０のそれぞれの表示画面にて、・・・再変動専用演出図柄の画像が消滅し、画面下部には「ＮＥＸＴ」の文字情報が表示される。・・・演出図柄は・・・仮停止されている。演出図柄の配列は、・・・チャンス目（「５」−「６」−「６」）となっている。」と記載されている。
　よって、図６５、図６６には、
第１サブ液晶表示器２１０、第２サブ液晶表示器２２０及び第３サブ液晶表示器２３０において、停止した再変動専用演出図柄の画像が消滅し、演出図柄がチャンス目（「５」−「６」−「６」）で仮停止して「ＮＥＸＴ」の文字情報が表示される
（２−サ）、図６４、図６５、図６６の下部には、
図６４、図６５、図６６の順に進行する
　また、上記（２−キ）の段落【０５６２】には、「ここからはサブ液晶表示器での変動表示演出が開始される。」と記載され、段落【０５６３】には、「図６４中（Ｊ）：第１サブ液晶表示器２１０、第２サブ液晶表示器２２０及び第３サブ液晶表示器２３０のそれぞれの表示画面の左側位置に数字の「５」を表す左演出図柄が停止する。」と記載され、段落【０５６９】には、「図６６中（Ｐ）：第１サブ液晶表示器２１０、第２サブ液晶表示器２２０及び第３サブ液晶表示器２３０のそれぞれの表示画面にて、・・・再変動専用演出図柄の画像が消滅し、画面下部には「ＮＥＸＴ」の文字情報が表示される。・・・演出図柄は・・・仮停止されている。演出図柄の配列は、・・・チャンス目（「５」−「６」−「６」）となっている。」と記載され、段落【０５７５】には、「図６７中（Ｔ）：リーチ状態が発生して暫くすると、・・・リーチ発生後予告演出・・・が行われる。」と記載され、上記（２−キ）の段落【０５７６】には、「リーチ状態が発生してからリーチ発生後予告演出が実行される」と記載されている。
　そして、図６４ないし図６７により、
サブ液晶表示器での変動表示演出の開始された
以降から、
演出図柄がチャンス目（「５」−「６」−「６」）で仮停止して「ＮＥＸＴ」の文字情報が表示されることを経て、
メイン液晶表示器４２におけるリーチ発生後予告演出が実行される直前までは、メイン液晶表示器４２において少なくとも図柄変動表示に関する表示が行われない
　よって、図６４ないし図６７には、
メイン液晶表示器４２において、各サブ液晶表示器における変動表示演出が開始されてから、演出図柄のチャンス目（「５」−「６」−「６」）での仮停止、及び「ＮＥＸＴ」の文字情報の表示を経て、メイン液晶表示器４２におけるリーチ発生後予告演出が実行される直前までの期間は、少なくとも図柄変動表示に関する表示が行われない
　上記（２−ア）〜（２−キ）の記載事項及び上記（２−ク）〜（２−サ）で認定された図示内容から、以下の事項が導かれる。
（２−シ）上記（２−イ）の段落【００４９】には、「パチンコ機１は、・・・遊技盤ユニット８を備えている。・・・遊技盤ユニット８の前面には・・・遊技盤・・・が形成されており」と記載されているから、刊行物２には、
パチンコ機１が遊技盤を備える
（２−ス）上記（２−ウ）の段落【００７４】には、「メイン液晶表示器４２の上方には第１サブ液晶表示器２１０が配置されており、メイン液晶表示器４２の・・・下方には第２サブ液晶表示器２２０が配置されており、メイン液晶表示器４２の・・・下方には第３サブ液晶表示器２３０が配置されている。」と記載され、上記（１−オ）の段落【０１１４】には、「一番奥がメイン液晶表示器４２であり、その手前が第２サブ液晶表示器２２０及び第３サブ液晶表示器２３０であり、一番手前が第１サブ液晶表示器２１０である。」と記載されているから、
メイン液晶表示器４２の前面上方には第１サブ液晶表示器２１０が配置され、メイン液晶表示器４２の前面下方には第２サブ液晶表示器２２０及び第３サブ液晶表示器２３０が配置されている
　また、上記（２−イ）により、段落【００４９】には、「パチンコ機１は、・・・遊技盤ユニット８を備えている。」と記載され、上記（２−カ）の段落【０１３７】には、「第１サブ液晶表示器２１０、第２サブ液晶表示器２２０及び第３サブ液晶表示器２３０は遊技盤ユニット８の裏側に設置されており」と記載されている。したがって、
パチンコ機１
に第１サブ液晶表示器２１０、第２サブ液晶表示器２２０及び第３サブ液晶表示器２３０が設けられている
　よって、刊行物２には、
パチンコ機１が、メイン液晶表示器４２の前面上方に配置された第１サブ液晶表示器２１０と、メイン液晶表示器４２の前面下方に配置された第２サブ液晶表示器２２０及び第３サブ液晶表示器２３０とを備える
（２−セ）上記（２−カ）の段落【０１３７】には、「メイン液晶表示器４２、第１サブ液晶表示器２１０、第２サブ液晶表示器２２０及び第３サブ液晶表示器２３０による表示動作は、演出表示制御装置１４４により制御されている。演出表示制御装置１４４には、・・・表示制御ＣＰＵ１４６とともに、表示プロセッサであるＶＤＰ１５２を実装した回路基板・・・が装備されている。」と記載されており、上記（２−カ）の段落【０１３９】には「表示制御ＣＰＵ１４６は、・・・制御信号を出力する。これを受け取ったＶＤＰ１５２は、制御信号に基づいて・・・必要な画像データを読み出して・・・展開し、・・・画像データに基づき・・・第１サブ液晶表示器２１０、第２サブ液晶表示器２２０及び第３サブ液晶表示器２３０の各画素・・・を・・・駆動する。」と記載されている。
　したがって、
演出表示制御装置１４４の表示制御ＣＰＵ１４６は、必要な画像データを読み出すための制御信号を送信し、演出表示制御装置１４４
は、必要な画像データを読み出して、当該画像データに基づき展開し、画像データに基づいて第１サブ液晶表示器２１０、第２サブ液晶表示器２２０及び第３サブ液晶表示器２３０の各画素を駆動する
演出表示制御装置１４４は、メイン液晶表示器４２、第１サブ液晶表示器２１０、第２サブ液晶表示器２２０及び第３サブ液晶表示器２３０に表示される画像の制御を行う
　また、上記（２−カ）の段落【０１３７】には、「遊技盤ユニット８の裏側には演出表示制御装置１４４が設置されており」と記載され、上記（２−イ）の段落【００４９】には、「パチンコ機１は、・・・遊技盤ユニット８を備えている。」と記載されているから、
パチンコ機１は演出表示制御装置１４４を備える
　よって、刊行物２には、
パチンコ機１が、メイン液晶表示器４２、第１サブ液晶表示器２１０、第２サブ液晶表示器２２０及び第３サブ液晶表示器２３０に表示される画像の制御を行う演出表示制御装置１４４を備える
（２−ソ）上記（２−ク）により、図６４には、
メイン液晶表示器４２の前方上側に配置された第１サブ液晶表示器２１０、メイン表示器４２の前方下側に配置された第２サブ液晶表示器２２０及び第３サブ液晶表示器２３０において、各サブ液晶表示器での変動表示演出が開始されてから、左側位置に数字の「５」を表す左演出図柄が停止し、次に、右側位置に数字の「４」を表す右演出図柄が停止し、その後、一旦停止した右演出図柄が滑る演出が実行され、右演出図柄が再び変動を開始する表示がなされる
　また、上記（２−ケ）により、図６５には、
第１サブ液晶表示器２１０、第２サブ液晶表示器２２０及び第３サブ液晶表示器２３０において、右演出図柄が滑る滑り演出を経て、右側位置に数字の「６」を表す右演出図柄が停止し、次に、左演出図柄及び右演出図柄が停止した状態で、上部から落下してきた「Ｒｅｐｌａｙ」の文字からなる再変動専用演出図柄が、停止する表示がなされる
　また、上記（２−コ）により、
第１サブ液晶表示器２１０、第２サブ液晶表示器２２０及び第３サブ液晶表示器２３０において、停止した再変動専用演出図柄の画像が消滅し、演出図柄がチャンス目（「５」−「６」−「６」）で仮停止して「ＮＥＸＴ」の文字情報が表示される
　そして、上記（２−サ）により、図６４ないし図６７には、
メイン液晶表示器４２において、各サブ液晶表示器における変動表示演出が開始されてから、演出図柄のチャンス目（「５」−「６」−「６」）での仮停止、及び「ＮＥＸＴ」の文字情報の表示を経て、メイン液晶表示器４２におけるリーチ発生後予告演出が実行される直前までの期間は、少なくとも図柄変動表示に関する表示が行われない
　また、上記（２−セ）により、
パチンコ機１の演出表示制御装置１４４によりメイン液晶表示器４２、第１サブ液晶表示器２１０、第２サブ液晶表示器２２０及び第３サブ液晶表示器２３０に表示される画像の制御が行われる
　よって、上記（２−ク）〜（２−サ）で認定される図示内容及び上記認定事項（２−セ）により、刊行物２には、
演出表示制御装置１４４は、
メイン液晶表示器４２の前方上側に配置された第１サブ液晶表示器２１０、メイン表示器４２の前方下側に配置された第２サブ液晶表示器２２０及び第３サブ液晶表示器２３０において、
各サブ液晶表示器での変動表示演出の開始後、
左側位置に数字の「５」を表す左演出図柄を停止し、次に、右側位置に数字の「４」を表す右演出図柄を停止し、その後、一旦停止した右演出図柄が滑る演出を実行し、右演出図柄を再び変動開始し、
右側位置に数字の「６」を表す右演出図柄を停止し、次に、左演出図柄及び右演出図柄が停止した状態で、上部から落下してきた「Ｒｅｐｌａｙ」の文字からなる再変動専用演出図柄を停止表示し、
停止した再変動専用演出図柄の画像の消滅後、演出図柄がチャンス目（「５」−「６」−「６」）で仮停止して「ＮＥＸＴ」の文字情報を表示する制御を行い、
　
一方、メイン液晶表示器４２において、サブ液晶表示器における変動表示演出が開始されてから、演出図柄のチャンス目（「５」−「６」−「６」）での仮停止、及び「ＮＥＸＴ」の文字情報の表示を経て、メイン液晶表示器４２におけるリーチ発生後予告演出が実行される直前までの期間は、少なくとも図柄変動表示に関する表示が行われないように制御を行う
　上記（２−ア）〜（２−キ）の記載事項、上記（２−ク）〜（２−サ）で認定された図示内容、及び（２−シ）〜（２−ソ）の認定事項から、刊行物２には、遊技機に関し、以下の技術事項が記載されていると認められる（以下「刊行物２発明」という。）。
「ａ　パチンコ機１であって、
遊技盤と（上記（２−シ））、
ｂ　メイン液晶表示器４２の前面上方に配置された第１サブ液晶表示器２１０と、メイン液晶表示器４２の前面下方に配置された第２サブ液晶表示器２２０及び第３サブ液晶表示器２３０と（上記（２−ス））、
ｃ　メイン液晶表示器４２、第１サブ液晶表示器２１０、第２サブ液晶表示器２２０及び第３サブ液晶表示器２３０に表示される画像の制御を行う演出表示制御装置１４４と、を備え（上記（２−セ））、
ｄ　演出表示制御装置１４４は、
　メイン液晶表示器４２の前方上側に配置された第１サブ液晶表示器２１０、メイン表示器４２の前方下側に配置された第２サブ液晶表示器２２０及び第３サブ液晶表示器２３０において、
各サブ液晶表示器での変動表示演出の開始後、
左側位置に数字の「５」を表す左演出図柄を停止し、次に、右側位置に数字の「４」を表す右演出図柄を停止し、その後、一旦停止した右演出図柄が滑る演出を実行し、右演出図柄を再び変動開始し、
右側位置に数字の「６」を表す右演出図柄を停止し、次に、左演出図柄及び右演出図柄が停止した状態で、上部から落下してきた「Ｒｅｐｌａｙ」の文字からなる再変動専用演出図柄を停止表示し、
停止した再変動専用演出図柄の画像の消滅後、演出図柄がチャンス目（「５」−「６」−「６」）で仮停止して「ＮＥＸＴ」の文字情報を表示する制御を行い、
　一方、メイン液晶表示器４２において、サブ液晶表示器における変動表示演出が開始されてから、演出図柄のチャンス目（「５」−「６」−「６」）での仮停止、及び「ＮＥＸＴ」の文字情報の表示を経て、メイン液晶表示器４２におけるリーチ発生後予告演出が実行される直前までの期間は、少なくとも図柄変動表示に関する表示が行われないように制御を行う、パチンコ機１（上記（２−ソ））。」
３．対比・判断
　本願発明と刊行物２発明とを対比する。なお、刊行物２発明の構成ａ〜ｄに対応して見出し（ａ）〜（ｄ）を付した。
（ａ）刊行物２発明の「パチンコ機１」及び「遊技盤」は、それぞれ、本願発明の「遊技機」及び「遊技盤」に相当する。
　よって、刊行物２発明の構成ａは、本願発明の構成Ａに相当する。
（ｂ）刊行物２発明の「メイン液晶表示器４２」は、本願発明の「第１の表示手段」に相当し、刊行物２発明の「第１サブ液晶表示器２１０」、「第２サブ液晶表示器２２０」及び「第３サブ液晶表示器２３０」は、本願発明の「複数の第２の表示手段」に相当する。
　また、刊行物２発明において、「メイン液晶表示器４２の前面上方に配置された第１サブ液晶表示器２１０」と、「メイン液晶表示器４２の前面下方に配置された第２サブ液晶表示器２２０及び第３サブ液晶表示器２３０」は、「メイン液晶表示器４２」を「介して配置されている」といえる。
　よって、刊行物２発明の構成ｂは、本願補正発明の構成Ｂに相当する。
（ｃ）刊行物２発明の「表示される画像」は、本願補正発明の「表示内容」に相当する。
　したがって、刊行物２発明の「メイン液晶表示器４２、第１サブ液晶表示器２１０、第２サブ液晶表示器２２０及び第３サブ液晶表示器２３０に表示される画像の制御を行う演出表示制御装置１４４」は、本願発明の「前記第１の表示手段および前記第２の表示手段のそれぞれの表示内容を制御する表示制御手段」に相当する。
（ｄ）刊行物２発明の「メイン液晶表示器４２の前方上側に配置された第１サブ液晶表示器２１０」及び「メイン表示器４２の前方下側に配置された第２サブ液晶表示器２２０及び第３サブ液晶表示器２３０」は、それぞれ、本願発明の「前記第１の表示手段の一方の側に配置される前記第２の表示手段」及び「前記第１の表示手段の他方の側に配置される前記第２の表示手段」に相当する。
　また、刊行物２発明の「左演出図柄」、「右演出図柄」、「「Ｒｅｐｌａｙ」の文字からなる再変動専用演出図柄」及び「「ＮＥＸＴ」の文字情報」は、「第１サブ液晶表示器２１０」、「第２サブ液晶表示器２２０」及び「第３サブ液晶表示器２３０」に表示されるから、本願発明の「前記第２の表示手段の表示内容」に相当する。
　また、刊行物２発明の「メイン液晶表示器４２」は、本願発明の「第１の表示手段」に相当するから、刊行物２発明の「メイン液晶表示器４２」における、「少なくとも図柄変動表示に関する表示が行われない」態様での表示は、本願発明の「第１の表示手段の表示内容」に相当する。
　そして、刊行物２発明において、「第１サブ液晶表示器２１０」、「第２サブ液晶表示器２２０及び第３サブ液晶表示器２３０」において、
「各サブ液晶表示器での変動表示演出の開始後、
左側位置に数字の「５」を表す左演出図柄を停止し、次に、右側位置に数字の「４」を表す右演出図柄を停止し、その後、一旦停止した右演出図柄が滑る演出を実行し、右演出図柄を再び変動開始し、
右側位置に数字の「６」を表す右演出図柄を停止し、次に、左演出図柄及び右演出図柄が停止した状態で、上部から落下してきた「Ｒｅｐｌａｙ」の文字からなる再変動専用演出図柄を停止表示し、
停止した再変動専用演出図柄の画像の消滅後、演出図柄がチャンス目（「５」−「６」−「６」）で仮停止して「ＮＥＸＴ」の文字情報を表示する制御を行」うことは、「第１サブ液晶表示器２１０」と、「第２サブ液晶表示器２２０及び第３サブ液晶表示器２３０」とで、「左演出図柄」、「右演出図柄」、「「Ｒｅｐｌａｙ」の文字からなる再変動専用演出図柄」及び「「ＮＥＸＴ」の文字情報」（本願発明の「第２の表示手段の表示内容」に相当）が、互いに連動するように制御することであるといえることから、本願発明の「前記第１の表示手段の一方の側に配置される前記第２の表示手段の表示内容と、前記第１の表示手段の他方の側に配置される前記第２の表示手段の表示内容と、が互いに連動する」ように制御することに相当する。
　また、上述の「第１サブ液晶表示器２１０」と、「第２サブ液晶表示器２２０及び第３サブ液晶表示器２３０」とが連動する内容の表示は、「メイン液晶表示器４２」における、「少なくとも図柄変動表示に関する表示が行われない」期間である、「各サブ液晶表示器における変動表示演出が開始されてから、演出図柄のチャンス目（「５」−「６」−「６」）での仮停止、及び「ＮＥＸＴ」の文字情報の表示を経て、メイン液晶表示器４２におけるリーチ発生後予告演出が実行される直前までの期間」に実行されるものであるから、メイン液晶表示器４２における表示内容にかかわらない表示内容であるということができる。
　よって、刊行物２発明の構成ｄは、本願発明の構成Ｄ’に相当する。
　したがって、上記（ａ）〜（ｄ）の検討事項により、本願発明と、刊行物２発明とは、
「遊技機であって、
　遊技盤と、
　第１の表示手段を介してそれぞれ配置される複数の第２の表示手段と、
　前記第１の表示手段および前記第２の表示手段のそれぞれの表示内容を制御する表示制御手段と、を備え、
　前記表示制御手段は、前記第１の表示手段の表示内容にかかわらず、前記第１の表示手段の一方の側に配置される前記第２の表示手段の表示内容と、前記第１の表示手段の他方の側に配置される前記第２の表示手段の表示内容と、が互いに連動するように制御する
　遊技機。」
で一致し、構成上の差異はない。
　よって、本願発明は刊行物２発明と同一であり、刊行物２に記載された発明であるので、特許法第２９条第１項第３号に該当し、特許を受けることができない。
　また、仮に、本願発明が刊行物２発明と同一でないとしても、本願発明は、刊行物２発明に基づいて、当業者が容易に発明をすることができたものであるので、特許法第２９条第２項の規定に基づいて、特許を受けることができない。
４．むすび
　以上のとおり、本願発明は、特許法第２９条第１項第３号に該当し特許を受けることができないか、又は、特許法第２９条第２項の規定に基づいて特許を受けることができないものである。
　
　したがって、その余の請求項に係る発明について検討するまでもなく、本願は拒絶すべきである。
　よって、結論のとおり審決する。